(57)【要約】【課題】指が滑ることなく容易に開封でき、食品等を密封して包装できる再封緘機能付きの易開封包装袋を提供する。【解決手段】フィルム１を製袋し、上シール部２の下方に開封予定線３を位置させ、その下方に全幅に亘って再封緘用のファスナ５を設け、開封予定線３の途中の切目線４を上方へ膨出させて摘み片６を形成した易開封包装袋において、摘み片６を形成する切目線４をフィルム１が連続的に切断されたものとし、切目線４の両端を外側へ向けることにより、摘み片６の抜出穴に指を引っ掛け、抜出穴の端縁を上方へ引っ張ると、フィルム１が開封予定線３に沿って切断されるようにする。また、流通過程で切目線４の両端からフィルム１が裂けることを防止し、袋内の気密性を保持するため、切目線４の両端を含み、上シール部２に亘って連続する中シール部７でフィルム１を貼り合わせる。【選択図】図１
2008001375.tif 000002
【特許請求の範囲】
【請求項１】
フィルム(1)を製袋して上シール部(2)で封緘し、上シール部(2)の下方に開封予定線(3)を位置させ、その下方に全幅に亘って再封緘用のファスナ(5)を設け、開封予定線(3)の途中の切目線(4)を上方へ膨出させて摘み片(6)を形成した易開封包装袋において、前記摘み片(6)を形成する切目線(4)を、フィルム(1)が連続的に切断されたものとし、切目線(4)の両端を外側へ向け、切目線(4)の両端を含んだ中シール部(7)でフィルム(1)を貼り合わせたことを特徴とする易開封包装袋。
【請求項２】
前記中シール部(7)を、上シール部(2)に亘って連続するものとしたことを特徴とする請求項１に記載の易開封包装袋。
【請求項３】
前記フィルム(1)の材料として、袋の幅方向に裂けやすい性質のものを使用し、開封予定線(3)には切目を入れないことを特徴とする請求項２に記載の易開封包装袋。
【発明の詳細な説明】
【技術分野】
【０００１】
この発明は、食品等を包装する樹脂フィルム製の包装袋であって、開封を容易にできるようにし、再封緘用のファスナを備えたものに関する。
【背景技術】
【０００２】
従来、下記特許文献１には、フィルム５１を製袋して上シール部５２で封緘し、上シール部５２の下方に開封予定線として一側のノッチ５３から切目が断続するミシン目５４を位置させ、その下方に全幅に亘って再封緘用のファスナ５５を設け、ミシン目５４を途中で上方へ弧状に膨出させて摘み片５６を形成した易開封包装袋が記載されている。
【０００３】
この包装袋は、フィルム５１をミシン目５４に沿って一側のノッチ５３から他側へ切断し、重なり合うフィルム５１の摘み片５６を指で摘まむと、フィルム５１同士を離反させて、容易に開封することができる。
【０００４】
【特許文献１】特開２００５−１３８８９９号公報
【発明の開示】
【発明が解決しようとする課題】
【０００５】
しかしながら、上記のような包装袋では、開封に際し、手が水や油で濡れている場合、ノッチ５３からミシン目５４に沿ってフィルム５１を切断しようとしても、指が滑ってフィルム５１をしっかりと把持できず、切断しにくいという問題がある。
【０００６】
また、袋内に密封を要する食品を収納する場合、流通時にはファスナ５５が完全に閉じられているとは限らないので、ミシン目５４の切目から外気が侵入し、食品が変質するおそれがある。
【０００７】
そこで、この発明は、指が滑ることなく容易に開封でき、食品等を密封して包装できる再封緘機能付きの易開封包装袋を提供することを課題とする。
【課題を解決するための手段】
【０００８】
上記課題を解決するため、この発明では、上シール部と再封緘用ファスナの間に位置する開封予定線の途中に、上方へ膨出するようにフィルムが連続的に切断された切目線を入れて摘み片を形成し、切目線の両端を外側へ向けることにより、摘み片の抜出穴に指を引っ掛け、抜出穴の端縁を上方へ引っ張ると、フィルムが開封予定線に沿って切断されるようにし、流通過程で切目線の両端からフィルムが裂けることを防止するため、切目線の両端を含んだ中シール部でフィルムを貼り合わせたのである。
【０００９】
また、袋内の気密性保持のため、前記中シール部を、上シール部に亘って連続するものとしたのである。
【００１０】
さらに、フィルムの材料として、袋の幅方向に裂けやすい性質のものを使用し、開封予定線には切目を入れないこととしたのである。
【発明の効果】
【００１１】
この発明に係る易開封包装袋では、摘み片を一方へ押し出して、その抜出穴に指を引っ掛け、抜出穴の端縁を上方へ引っ張るだけで、手が濡れていて指が滑りやすくても、フィルムを開封予定線で切断して、容易に開封することができ、中シール部により、流通過程で切目線の両端からフィルムが裂けることも防止されるほか、袋内の気密性が保持され、食品等の内容物の品質が長期間維持される。
【発明を実施するための最良の形態】
【００１２】
以下、この発明の実施形態を添付図面に基づいて説明する。
【００１３】
図１に示すように、この包装袋は、ポリエチレン、ポリプロピレン等の樹脂フィルム１を製袋して、ヒートシールにより上シール部２で封緘されている。フィルム１は、袋の幅方向に裂けやすい性質を有するものであり、上シール部２の下方には、開封予定線３が位置している。開封予定線３の中央部には、後述する切目線４が入れられ、開封予定線３の下方には、全幅に亘って再封緘用の帯状ファスナ５が設けられている。
【００１４】
前記切目線４は、上方へ弧状に膨出し、両端が外側へ向くようにフィルム１を連続的に切断したものであり、切目線４の内側に摘み片６が形成されている。切目線４の両端を含んだ中シール部７において、フィルム１はヒートシールにより貼り合わされ、中シール部７は、上シール部２に亘って逆台形状に連続している。
【００１５】
このような包装袋では、開封に際し、図１及び図２に示すように、摘み片６を一方へ押し出して、その抜出穴に指を引っ掛け、抜出穴の端縁を上方へ引っ張るだけで、手が水や油で濡れていて指が滑りやすくても、フィルム１が開封予定線３で切断され、図３に示すように、開封予定線３の上方部分を除去して、容易に開封することができる。
【００１６】
また、切目線４の両端を含む中シール部７により、流通過程で切目線４の両端からフィルム１が裂けることも防止される。
【００１７】
さらに、中シール部７を上シール部２に亘って連続させ、開封予定線３に切目を入れていないので、流通時にファスナ５が完全に閉じられていなくても、袋内の気密性が保持され、食品等の内容物の品質が長期間維持される。
【００１８】
そして、上記のように開封した包装袋から内容物を取り出す際には、図３及び図４に示すように、重なり合うフィルム１の摘み片６を指で摘まみ、中シール部７の残存部を引き剥がして、フィルム１同士を離反させることにより、図５に示すように、包装袋の上端を容易に開口させて、内容物を取り出すことができる。
【００１９】
また、ファスナ５により再封緘した包装袋を再度開封する際にも、重なり合うフィルム１の摘み片６を指で摘まみ、フィルム１同士を離反させることにより、包装袋の上端を容易に開口させて、内容物を取り出すことができる。
【００２０】
なお、上記実施形態では、フィルム１を袋の幅方向に裂けやすい性質を有するものとして、開封予定線３には切目を入れなかったが、フィルム１を厚さ方向に半分程度切り込んだ半切線を入れてもよい。
【００２１】
また、内容物が気密性を要しないものである場合、開封予定線３には、切目が断続するミシン目を入れてもよい。
【００２２】
また、フィルム１を貼り合わせる上シール部２は、確実に封緘するため、高温でヒートシールする必要があるが、中シール部７は、切目線４からの外気の侵入のみを防止できればよいことから、フィルム１の過溶融防止のため、低温でヒートシールするとよい。
【００２３】
そのほか、中シール部７は、内容物が気密性を要しないものである場合、切目線４の両端を含む分離した２箇所でのみフィルム１を貼り合わせたものとしてもよく、この場合でも、流通過程で切目線４の両端からフィルム１が裂けることが防止される。
【００２４】
また、包装袋のサイズが大きい場合、摘み片６は、包装袋の幅方向に間隔をあけて複数個設けてもよい。
【００２５】
さらに、この実施形態では、四方シールの包装袋を例示したが、包装袋は、三方シールや二方シールのものであってもよく、底部にガセットを有するスタンディングパウチであってもよい。
【図面の簡単な説明】
【００２６】
【図１】この発明の実施形態に係る包装袋の封緘状態を示す全体正面図
【図２】同上の封緘状態の上部断面図
【図３】同上の開封過程を示す全体正面図
【図４】同上の開封過程の上部断面図
【図５】同上の開封状態を示す全体正面図
【図６】従来の包装袋の封緘状態を示す全体正面図
【符号の説明】
【００２７】
１  フィルム
２  上シール部
３  開封予定線
４  切目線
５  ファスナ
６  摘み片
７  中シール部
【図１】
2008001375.tif 000003
【図２】
2008001375.tif 000004
【図３】
2008001375.tif 000005
【図４】
2008001375.tif 000006
【図５】
2008001375.tif 000007
【図６】
2008001375.tif 000008